(57)【特許請求の範囲】
【請求項１】
トライアルフレームに装着されたトライアルレンズの測定を行うトライアルフレーム測定モードと、通常のレンズ測定を行う通常測定モードと、前記トライアルフレーム測定モードでトライアルレンズの測定により得られた円柱軸角度のまるめ処理を実行する手段と、前記トライアルレンズの呼び値と前記トライアルフレーム測定モードでの測定値との値のズレを、トライアルレンズ間の光軸方向の距離を用いて演算することにより補正する補正処理を実行する手段と、を有することを特徴とするレンズメータ。
【請求項２】
前記トライアルフレーム測定モードのときに、前記補正処理により得られた呼び値を測定結果表示画面に表示させることを特徴とする請求項１に記載のレンズメータ。
【請求項３】
前記トライアルフレーム測定モードで測定された測定値としての処方値データが転送されて眼鏡レンズ加工機、軸出し機、顧客管理装置の少なくとも一つの処方値データとして用いられることを特徴とする請求項１又は請求項２に記載のレンズメータ。
【請求項４】
レンズメータ本体に前記トライアルフレームを保持する保持部材が設けられていることを特徴とする請求項１ないし請求項３のいずれか１項に記載のレンズメータ。
【発明の詳細な説明】
【０００１】
【発明の属する技術分野】
本発明は、トライアルフレーム（掛け枠（検眼フレーム）ともいう）にセットされた状態のままでトライアルレンズの検眼度数（球面度数Ｓ、柱面度数Ｃ、柱面軸角度Ａ、プリズム量Ｐ）を測定することのできるレンズメータに関する。
【０００２】
【従来の技術】
従来から、眼鏡店等において、被検者の眼鏡を製作する場合、他覚式、自覚式の検眼装置を用いて被検眼の視機能を検査しているが、最終的には被検者にトライアルフレームを装着させ、このトライアルフレームに複数個のトライアルレンズを組み合わせてセットし、そのトライアルレンズを通じて見える視標の見え具合により製作すべき眼鏡レンズの検眼度数（球面度数、柱面度数、柱面軸角度、プリズム量）を決定している。
【０００３】
そして、従来、検者はそのトライアルレンズの検眼度数としての呼び値、トライアルフレームの目盛り（検眼度数としての円柱軸角度）を目視で読み取り、その読み取り結果をカルテ等へ処方値として記入し、管理等している。
【０００４】
しかしながら、この検眼度数を読み取り、カルテ等へ記入する際に手間がかかると共に、読み取りミス、記入ミスが生じるおそれがある。
【０００５】
【発明が解決しようとする課題】
そこで、手作業による読み取りミス、記入ミス等を防ぐために、トライアルレンズ（検眼レンズ）の検眼度数情報を読み取るレンズ情報読み取り装置が提案されている（特開２００１−７４６０３号公報）。
【０００６】
しかしながら、このレンズ情報読み取り装置は、トライアルレンズの読み取り専用の装置であり、眼鏡店にとっては省スペース化を図る観点から望ましくない傾向にある。
【０００７】
本発明は、上記の事情に鑑みて為されたもので、トライアルフレームにセットされた状態のままで測定されたトライアルレンズの測定値をそのまま処方値として用いることのできるレンズメータを提供することを目的とする。
【０００８】
【課題を解決するための手段】
請求項１に記載のレンズメータは、トライアルフレームに装着されたトライアルレンズの測定を行うトライアルフレーム測定モードと、通常のレンズ測定を行う通常測定モードと、前記トライアルフレーム測定モードでトライアルレンズの測定により得られた円柱軸角度のまるめ処理を実行する手段と、前記トライアルレンズの呼び値と前記トライアルフレーム測定モードでの測定値との値のズレを、トライアルレンズ間の光軸方向の距離を用いて演算することにより補正する補正処理を実行する手段と、を有することを特徴とする。
【００１０】
請求項２に記載のレンズメータは、前記トライアルフレーム測定モードのときに、前記補正処理により得られた呼び値を測定結果表示画面に表示させることを特徴とする。
【００１１】
請求項３に記載のレンズメータは、前記トライアルフレーム測定モードで測定された測定値データが転送されて眼鏡レンズ加工機、軸出し機、顧客管理装置のうちの少なくとも一つの処方値データとして用いられることを特徴とする。
【００１２】
請求項４に記載のレンズメータは、レンズメータ本体に前記トライアルフレームを保持する保持部材が設けられていることを特徴とする。
【００１３】
【発明の実施の形態】
図１において、１はレンズメータである。このレンズメータ１には公知のものを用いることができ、２はそのレンズメータ１の本体、３はその本体２の上部に設けられた液晶表示装置、４は上光学部品収納部、５は下光学部品収納部、６はレンズ受けエプロン、６’はレンズ受け、７はレンズテーブル、８はレンズテーブル操作レバー、９は鼻当て支持部材である。このレンズメータ１は眼鏡フレームに挿着された状態での眼鏡レンズ、ソフトコンタクトレンズ、素地レンズ等の光学特性Ｓ、Ｃ、Ａ、Ｐについて通常測定を行うことができるものである。
【００１４】
ここでは、そのレンズテーブル７に、例えば吸着部材としての磁石１０が設けられている。この磁石１０には図２（ａ）、図２（ｃ）、図２（ｂ）、図２（ｄ）に示す保持部材としての突き当て部材１１が着脱可能に吸着されるものである。突き当て部材１１には磁石１０に対向する位置に磁性体１１Ａが設けられると共に円弧状溝１１Ｂが設けられている。
【００１５】
その突き当て部材１１には例えば図３に示すトライアルフレーム１２が突き当てられる。
【００１６】
その図３において、１３はブリッジ部、１４は鼻当て高さ調節ツマミ、１５、１５はＰＤ調節つまみ、１６、１６は角度位置調節ツマミ、１７はトライアルフレームセット部材である。このトライアルフレームセット部材１７はブリッジ部１３に対して左右方向に可動の円弧形状部１３Ａに回動可能に設けられ、角度位置調節ツマミ１６、１６によって回動される。
【００１７】
そのトライアルフレームセット部材１７には図４に示すトライアルレンズとしての円柱レンズ１８Ａ、図５に示すトライアルレンズとしての球面レンズ１８Ｂが挿着されるもので、そのトライアルフレームセット部材１７にはトライアルレンズを支持するための一対の円弧状支柱１９、１９と押さえバネ２０とが設けられている。円柱レンズ１８Ａ、球面レンズ１８Ｂのレンズ枠１８ｃにはツマミ部１８Ｄが設けられている。また、レンズ枠１８Ｃにはトライアルフレームの呼び値１８Ｅが記載されている。
【００１８】
トライアルレンズはその押さえバネ２０により一対の支柱１９、１９に向けて押さえつけられ、トライアルフレームセット部材１７に安定に保持されている。
【００１９】
その一対の円弧状支柱１９、１９にはここでは３個のトライアルレンズが装着可能とされ、これに対応して円弧状支柱１９、１９にはトライアルレンズの装着溝１９Ａが図６に拡大して示すように形成され、この装着溝１９Ａにはトライアルレンズの装着の有無を検出する検出センサ１９Ｂが設けられている。この検出センサ１９Ｂの検出出力は図１に示す演算処理装置１Ａに入力されている。その検出センサ１９Ｂの検出出力により後述するトライアルレンズ間の距離ｄが求められる。
【００２０】
トライアルフレーム１２は各機種によって装着溝１９Ａの間隔が決まっており、機種毎に装着溝１９Ａの間隔をメモリーテーブルに登録しておけば、トライアルレンズが装着溝１９Ａに装着されたときの検出出力に基づいてトライアルレンズ間の距離ｄを自動的に求めることができる。なお、後述する距離ｄを自動的に求める代わりに、手動入力によりレンズメータ１に入力するようにしても良い。
【００２１】
その演算処理装置１Ａは、トライアルフレーム測定モードと通常の眼鏡レンズの検眼度数（球面度数Ｓ、円柱度数Ｃ、円柱軸角度Ａ、プリズム量Ｐ）等の測定を行う通常測定モードの他、レンズメータの測定に必要な各種の処理を行う機能を有している。
【００２２】
突き当て部材１１の円弧溝１１Ｂはトライアルフレーム本体１３の円弧形状部１３Ａの円弧縁部１３Ｂに対応する形状とされている。そのトライアルレンズの光学特性（検眼度数）をトライアルフレーム１２に挿着したままの状態で測定する際、図７に示すように円弧縁部１３Ｂが円弧溝１１Ｂに突き当てられるようになっている。その円弧溝１１Ｂにトライアルフレーム１２を突き当てた状態でトライアルレンズの測定が行われるものとされている。
【００２３】
その図７では、右側のトライアルレンズを測定している状態が示されており、右側のトライアルレンズを測定する場合には、図２（ａ）に示す突き当て部材１１を図１に示す磁石１０のうち左から数えて第１番目の磁石１０に吸着させ、図２（ｂ）に示す突き当て部材１１を同様に左から数えて第２番目の磁石１０に吸着させて、トライアルフレーム１２の位置決め保持を行う。トライアルフレームのＰＤ（瞳孔間距離）を変更した場合には、突き当て部材１１の位置をレンズテーブル７の延びる方向にずらせば良い。
【００２４】
また、左側のトライアルレンズを測定する場合には、図２（ａ）に示す突き当て部材１１を図１に示す磁石１０のうち左から数えて第４番目の磁石１０に吸着させ、図２（ｂ）に示す突き当て部材１１を左から数えて第４番目の磁石１０に吸着させて、トライアルフレーム１２の位置決め保持を行う。この一対の突き当て部材１１、１１を用いることにより、トライアルフレーム１２の回転阻止、左右方向の位置決め、高さ方向の位置決め、奥行き方向の位置決めが行われる。
【００２５】
演算処理装置１Ａには、トライアルフレーム１２に挿着したままの状態で光学特性を測定する際に、円柱軸角度Ａを丸めるためのプログラムが組み込まれている。
【００２６】
レンズメータ１で測定したときには、円柱軸角度Ａは従来から１°単位で表示されるようにプログラムされているが、カルテ等に処方値として記載するときには、５°単位にまるめて記載する慣行となっているからである。
【００２７】
そのレンズメータ１は、トライアルフレーム測定モードと、通常測定モードとを有し、電源スイッチ（図示を略す）を押すと、図８（ａ）に示すように液晶表示装置３にメニュー画面２１が表示される。そのメニュー画面２１の左側には、トライアルフレーム測定モードを選択するか、通常測定モードを選択するかの選択画面２１Ａが表示され、メニュー画面２１の右側には、光学特性としての円柱軸角度Ａを５°毎にまるめるかまるめないかの選択画面２１Ｂが表示される。
【００２８】
その選択画面２１Ａの下部にはアップボタン２１Ｃ、ダウンボタン２１Ｄが表示され、選択画面２１Ｂの下部にはアップボタン２１Ｅ、ダウンボタン２１Ｆ、確定ボタン２１Ｇが表示され、アップボタン２１Ｃ、ダウンボタン２１Ｄの操作によりトライアルフレーム測定モードと通常測定モードとが切り換えられ、アップボタン２１Ｅ、ダウンボタン２１Ｆの操作により、円柱軸角度まるめモードと円柱軸角度非まるめモードとが切り換えられ、確定ボタン２１Ｇを操作すると選択されたモードが確定される。
【００２９】
そのメニュー画面２１で、トライアルフレーム測定モードを選択すると、図８（ｂ）に示すスタンバイ表示画面２２となり、トライアルフレームの測定モードボタン２２Ａと、眼鏡レンズ、素地レンズ、トライアルレンズ等の被検レンズの光学中心を中心とした同心円状のスケール２２Ｂと球面度数Ｓ、円柱度数Ｃ、円柱軸角度Ａとが表示される。
【００３０】
このスタンバイ表示画面２２で、測定モードボタン２２Ａを押すと、図８（ｃ）に示す測定画面２３となり、トライアルフレーム測定実行ボタン２３Ａ、軸角度まるめ実行・非実行を選択する選択ボタン２３Ｂ、その他のボタンが表示される。
【００３１】
その測定画面２３でトライアルフレーム測定実行ボタン２３Ａを押すと、図８（ｄ）に示すように、光学特性の測定値としてのＳ、Ｃ、Ａが測定結果表示画面２４に表示され、軸角度まるめモードを選択した場合には、軸角度Ａの測定値が点滅するようにされ、この状態で選択ボタン２３Ｂを押すと、軸角度をまるめる前の軸角度測定値Ａが測定結果表示画面２４に表示され、このときには、軸角度の測定値は点滅しないようにようにされている。
【００３２】
その演算処理装置１Ａには、トライアルレンズの間隔ｄに伴う補正プログラムが設けられている。
【００３３】
これは、以下に説明する理由により設けられたものである。
【００３４】
従来、トライアルレンズの呼び値１８Ｅを処方値に用いているが、実際に、被検者が見やすいと感じているトライアルフレーム装着時の検眼度数と処方値は図９に示すようにトライアルレンズ１８Ａ、１８Ｂの間隔ｄの存在によって、レンズメータ１による測定値と呼び値１８Ｅとは一致しない。この測定値と呼び値１８Ｅとの不一致は、被検眼１８Ｆが弱度の場合、すなわち、トライアルレンズ１８Ａ、１８Ｂの度数が小さい場合には問題ならないが、トライアルレンズの度数が強くなると、測定値と呼び値との不一致の度合いが大きくなる。
【００３５】
レンズメータ１を用いて、図１０に示すように、トライアルレンズ１８Ａ、１８Ｂをレンズ受け６’にセットして、すなわち、ここでは、球面レンズ１８Ｂの裏面がレンズ受け６’の頂部に当接するようにしてセットして、トライアルフレーム装用時のトライアルレンズ１８Ａ、１８Ｂの光学特性を測定すれば、被検者が実際に装用したときの測定値を得ることができる。
【００３６】
しかしながら、このようにすると、検者はトライアルレンズ１８Ａ、１８Ｂに記載されている呼び値１８Ｅと測定値とがずれているので、違和感が生じる。
【００３７】
そこで、トライアルフレーム１２にセットされたトライアルレンズ１８Ａ、１８Ｂをレンズメータ１により測定した測定値に基づき、トライアルフレーム１２にセットされているトライアルレンズ１８Ａ、１８Ｂの呼び値１８Ｅを求める補正処理を行う。ここでは、測定値Ｓ、Ｃ、Ａと呼び値１８Ｅとの双方が測定結果表示画面２４に表示される。
【００３８】
その補正処理は以下の式に基づき行われる。
【００３９】
いま、図９、図１０に示すようにトライアルレンズとしての円柱レンズ１８Ａの裏面からトライアルレンズとしての球面レンズ１８Ｂの裏面までの距離をｄ、レンズメータ１により得られた測定値をＳA、ＣA、ＡAとする。
【００４０】
このとき、このトライアルレンズの組み合わせレンズの弱主経線の方向の度数ＳAWはＳAW＝ＳA、強主経線の方向の度数はＳAS＝ＳA＋ＣA、
となる。
なお、ここで、添字Ｓは強主経線方向を意味し、添字ｗは弱主経線方向を意味する。
ここでは、１枚目のトライアルレンズ１８Ａは円柱レンズであり、トライアルレンズ１８Ｂは球面レンズであるので、弱主経線方向の度数にはトライアルレンズ１８Ｂの度数のみが寄与し、強主経線の方向の度数にはトライアルレンズ１８Ｂの度数とトライアルレンズ１８Ａの度数とが寄与するからである。
【００４１】
すなわち、１枚目のトライアルレンズは、単性の円柱レンズ１８Ａであるので、その呼び値をＣ1とすると、Ｓ1S＝Ｃ1、Ｓ1W＝０、
となる。
というのは、円柱レンズ１８Ａは弱主経線方向に屈折力を有しないからである。
これに対して、２枚目のトライアルレンズは球面レンズ１８Ｂであるので、その呼び値をＳ2、とすると、
Ｓ2S＝Ｓ2W＝Ｓ2
となる。
というのは、球面レンズ１８Ａはいずれの経線方向にも同一の屈折力を有しているからである。
また、１枚目の円柱レンズ１８Ａの弱主経線方向の度数（屈折力）は「０」であるので、弱主経線方向について組み合わせレンズの屈折力には１枚目の円柱レンズ１８Ａの屈折力の影響はないため、Ｓ2＝ＳAWである。
【００４２】
ここで、強主経線方向のトライアルレンズ１８Ａの焦点距離をｆ1S、トライアルレンズ１８Ｂの焦点距離をｆ2とすると、度数と焦点距離とは反比例の関係にあるので、トライアルレンズ１８Ａ、１８Ｂの厚さを「０」と考え、平行光束がトライアルレンズ１８Ａに入射するものとすると、
ＳAS＝１／ｆAS、Ｓ2＝１／ｆ2、
であるので、薄肉レンズの結像公式により、
SAS＝１／ｆAS＝１／（ｆ1S  −ｄ）＋１／ｆ2
である。
この式を変形すると、
（ｆ1S  −ｄ）／ｆAS＝１＋（ｆ1S  −ｄ）／ｆ2
となり、
この式は、更に、
（ｆ1S ／ｆAS ）−（ｄ／ｆAS）＝１＋（ｆ1S  ／ｆ2）−（ｄ／ｆ2）
と変形され、
上式の左辺の−（ｄ／ｆAS）を右辺に移項し、上式の右辺の（ｆ1S  ／ｆ2）を左辺に移項すると、下記の式が得られる。
（ｆ1S ／ｆAS ）−（ｆ1S  ／ｆ2）＝１＋（ｄ／ｆAS）−（ｄ／ｆ2）
この式において、左辺の共通項「ｆ1S 」で括弧を括り、右辺の共通項「ｄ」で括弧を括ると、下記の式に変形される。
ｆ1S（ １／ｆAS −１／ｆ2）＝１＋ｄ（１／ｆAS−１／ｆ2）
この式の両辺を（ １／ｆAS −１／ｆ2）で除算すると、下記の式が得られる。
ｆ1S＝１／（ １／ｆAS −１／ｆ2）＋ｄ
ここで、 １／ｆAS ＝SAS、１／ｆ2＝S2であるので、
上記の式は、下記の式に変形される。
ｆ1S＝１／（ SAS −S2）＋ｄ
（ SAS −S2）は、ＳAS＝ＳA＋ＣAの式より、（ SAS −S2）＝ＣAであるから、更に、
式ｆ1S＝１／（ SAS −S2）＋ｄは、
ｆ1S＝１／ＣA＋ｄ  となる。
ここで、ｆ1S＝１／C1 であったので、
Ｃ1＝１／（１／CA＋ｄ）
となる。
【００４３】
これにより、トライアルレンズ１８Ｂ、１８Ａの呼び値Ｓ2、Ｃ1を測定値ＳA、ＣAから得ることができる。
【００４４】
ただし、これは、眼側の球面レンズ１８Ｂと同符号の円柱レンズ１８Ａをトライアルフレーム１２にセットしたときの方法であり、異符号の円柱レンズ１８Ａをトライアルフレーム１２にセットすると、球面レンズ１８Ｂの球面度数をレンズメータ１の測定で得られた合成度数のうち、強主経線方向の度数と弱主経線方向の度数とのうちいずれを呼び値Ｓ2とすべきか判断できない。
【００４５】
この場合には、トライアルレンズ１８Ｂは０．１２Ｄ、又は０．２５Ｄステップの度数しかないので、このステップに近い度数を呼び値Ｓ2として選択すれば良い。
【００４６】
そのトライアルフレーム１２に装着されたまま測定されたトライアルレンズ１８Ｂの呼び値１８Ｅとしての球面度数Ｓ2、トライアルレンズ１８Ａの呼び値１８Ｅとしての円柱度数Ｃ1、５°単位で丸められた円柱軸角度Ａ１の処方値データは送信手段を介して例えば発注システム２４の一部を構成する眼鏡レンズ加工機２４Ａ、軸出し機２４Ｂ、顧客管理装置２４Ｃに転送され、レンズ加工、軸出し、顧客管理のうちの少なくとも一つの処方値データとして用いられる。
【００４７】
以上、発明の実施の形態では、トライアルフレームの左右のトライアルレンズのうちの一方のトライアルレンズの光学特性を測定した後、他方のトライアルレンズの光学特性を測定するものとしたが、左右のトライアルレンズの両方の光学特性を同時に測定する構成として、測定の迅速化を図ることもできる。この場合には、レンズメータ１の光学系を２個設けると共に、レンズ受け６’をこれに対応させて２個設ける構成とすれば良い。
【００４８】
【発明の効果】
本発明によれば、トライアルフレームに装着されたトライアルレンズの測定を行うトライアルフレーム測定モードと、通常のレンズ測定を行う通常測定モードとを有し、トライアルフレーム測定モードではトライアルレンズの測定により得られた円柱軸角度のまるめ処理を実行するようにしたので、レンズメータで測定を行う場合でも、記入ミス、転記ミスを防止できると共に、実際に処方箋に記載するトライアルレンズの処方値データをレンズメータの測定により得ることができる。
【００４９】
また、トライアルレンズに記載されている呼び値と測定値とのズレを補正する補正手段を設けたので、トライアルレンズの呼び値と測定値の不一致により検者が感じる違和感を解消できる。
【図面の簡単な説明】
【図１】  本発明に係わるレンズメータの一例を示す外観図である。
【図２】  図１に示す磁石に吸着される突き当て部材の説明図で、（ａ）は左側のトライアルレンズが突き当てられる突き当て部材の平面図を示し、（ｂ）は右側のトライアルレンズが突き当てられる突き当て部材の平面図を示し、（ｃ）は（ａ）に示す突き当て部材の断面図を示し、（ｄ）は（ｂ）に示す突き当て部材の断面図を示している。
【図３】  本発明に係わるトライアルフレームの一例を示す平面図である。
【図４】  図３に示すトライアルフレームに装着される円柱レンズの一例を示す平面図である。
【図５】  図３に示すトライアルフレームに装着される球面レンズの一例を示す平面図である。
【図６】  図３に示すトライアルフレームの支柱部分を拡大して示す斜視図である。
【図７】  図３に示すトライアルフレームを突き当て部材に突き当ててトライアルレンズの測定を行っている状態を説明するための説明図である。
【図８】  本発明に係わるレンズメータの表示画面の説明図で、（ａ）はメニュー画面を示し、（ｂ）はトライアルフレーム測定モードのスタンバイ表示画面を示し、（ｃ）はトライアルフレーム測定モードの測定画面を示し、（ｄ）はトライアルフレーム測定モードの測定結果表示画面を示す。
【図９】  本発明に係わる測定値とトライアルレンズの呼び値との間の関係を説明するための説明図であって、被検眼に対するトライアルレンズの位置関係を示している。
【図１０】  本発明に係わる測定値とトライアルレンズの呼び値との間の関係を説明するための説明図であって、レンズ受けに対するトライアルレンズの位置関係を示している。
【符号の説明】
１…レンズメータ
１２…トライアルフレーム
１８Ａ、１８Ｂ…トライアルレンズ
Ａ…円柱軸角度
【図１】
0004943598.tif 000002
【図２】
0004943598.tif 000003
【図３】
0004943598.tif 000004
【図４】
0004943598.tif 000005
【図５】
0004943598.tif 000006
【図６】
0004943598.tif 000007
【図７】
0004943598.tif 000008
【図８】
0004943598.tif 000009
【図９】
0004943598.tif 000010
【図１０】
0004943598.tif 000011